(57)【要約】【課題】グレモン錠のハンドルを框の見込み面に取付ける構造とした場合も強度の低下が防止され、もって断熱性の優れた樹脂製建具を提供する。【解決手段】グレモン錠のハンドル２５を框８のガラスパネル１３装着部より室内側の見込み面８ｊに取付ける。ハンドル２５を取付ける框８におけるハンドル操作機構収容部８ｇより室外側にホロー部８ｅを設ける。ホロー部８ｅの框８の見付け面の面内方向の外側部分と、框のホロー部８ｅより室内側部分との間に、ホロー部側が見付け面の面内方向の外側となるように傾斜した傾斜板部８ｉを設ける。【選択図】図１
2015105504.tif 000002
【特許請求の範囲】
【請求項１】
枠および框を合成樹脂製押出形材により構成した樹脂製建具において、
グレモン錠のハンドルを框のガラスパネル装着部より室内側の見込み面に取付け、
前記ハンドルを取付ける框におけるハンドル操作機構収容部より室外側にホロー部を設け、
前記ホロー部の見付け面の面内方向における外側部分と、前記框の前記ホロー部より室内側部分との間に、前記ホロー部側が見付け面の面内方向の外側となるように傾斜した傾斜板部を設けたことを特徴とする樹脂製建具。
【請求項２】
請求項１に記載の樹脂製建具において、
前記ホロー部内に鋼材でなる芯材を収容したことを特徴とする樹脂製建具。
【発明の詳細な説明】
【技術分野】
【０００１】
本発明は、枠および框を合成樹脂製押出形材により製作して辷り出し窓や開き窓等として構成する樹脂製建具に係わり、特にグレモン錠を取付ける窓のハンドルの取付け構造および框の構造に関する。
【背景技術】
【０００２】
辷り出し窓や開き窓等のように建物の開口部に設置される建具において、断熱性を高めるため、特に寒冷地等においては、枠や框を合成樹脂製押出形材により製作した樹脂製建具が賞用される。図７はこのような従来の樹脂製建具の一例を示す横断面図であり、縦辷り出し窓について示すものである。
【０００３】
図７において、５０，５１は左右の縦枠、５２，５３は障子の左右の縦框、５４は縦框５２，５３および上下の横框５５とで組まれた枠内に組み込まれたガラスパネルである。５６は一方の縦框５２の見付け面５２ａに取付けられたグレモン錠のハンドル、５２ｂは縦框５２のホロー部、５７はこのホロー部５２ｂ内に嵌合して取付けた鋼材でなる芯材である。５８はハンドル５６の操作により、縦框５２に設けたガイド部５２ｃに沿って摺動する可動枠、５９はこの可動枠５８に取付けたロックピン、６０は縦枠５０に取付ける受け具であり、ロックピン５９を嵌合、離脱させるロック溝を有するものである。ハンドル５６の動きを可動枠５８およびロックピン５９に伝達する操作力伝達機構(図示せず)は、ホロー部５２ｂに収容される。
【０００４】
このように縦框５２の見付け面５２ａにハンドル５６を取付けた構造の場合、ハンドル５６を取付けるための幅Ｗ１が必要となるため、框の見付け面の幅が広くなる。
【０００５】
一方、ガラスパネル５４については、近年の断熱性の向上により、樹脂製框よりも単位面積あたりの断熱性能が高くなってきている。このため、断熱性の高い樹脂製建具を実現するためには、ハンドル５６を縦框５２の見込み面５２ｄに取付けることにより、縦框の見付け面の幅（Ｗ１）をできるだけ狭くし、縦框５２の伝熱面積をなるべく狭くする一方、ガラスパネル５４の面積をその分だけ広くすることが望まれる。すなわち断熱性をより向上させるには、特許文献１に開示されているように、ハンドル５６を縦框５２の見込み面５２ｄに取付けることが望まれる。（ただし特許文献１に開示の建具は樹脂製建具ではなく、アルミニウム合金製押出形材を使用したものである。）
【０００６】
また、図７の構成とした場合、芯材５７を収容したホロー部５２ｂには、ハンドル５６により可動枠５８を操作する操作力伝達機構を設ける関係上、芯材５７の一部にこの操作力伝達機構を設けるための欠除部を設ける必要があり、この欠除部を芯材５７に設けると、芯材５７の強度が低下するという問題点もある。
【先行技術文献】
【特許文献】
【０００７】
【特許文献１】特開平９−４１７６２号公報
【発明の概要】
【発明が解決しようとする課題】
【０００８】
上述のように、建具の断熱性を向上させるには、グレモン錠のハンドル５６を特許文献１に記載のように見込み面５２ｄに取付け、これにより縦框５２の幅を狭くすることが考えられる。しかしながら、この構造によれば、建具全体の断熱性は向上するものの、縦框の強度が低下するという問題点を生じる。
【０００９】
本発明は、上記問題点に鑑み、グレモン錠のハンドルを框の見込み面に取付ける構造とした場合も強度の低下が防止され、もって断熱性の優れた樹脂製建具を提供することを目的とする。
【課題を解決するための手段】
【００１０】
請求項１の樹脂製建具は、枠および框を合成樹脂製押出形材により構成した樹脂製建具において、
グレモン錠のハンドルを框のガラスパネル装着部より室内側の見込み面に取付け、
前記ハンドルを取付ける框におけるハンドル操作機構収容部より室外側にホロー部を設け、
前記ホロー部の見付け面の面内方向における外側部分と、前記框の前記ホロー部より室内側部分との間に、前記ホロー部側が見付け面の面内方向の外側となるように傾斜した傾斜板部を設けたことを特徴とする。
【００１１】
請求項２の樹脂製建具は、請求項１に記載の樹脂製建具において、
前記ホロー部内に鋼材でなる芯材を収容したことを特徴とする。
【発明の効果】
【００１２】
本発明によれば、樹脂製建具において、グレモン錠のハンドルを框の見込み面に取付けたので、見付け面にハンドルを取付ける場合に比較し、框の見付け面の幅を狭くすることが可能となり、框の幅を狭くした分、ガラスパネルの面積を広くすることができるので、建具の断熱性を向上させることができる。
【００１３】
また、ハンドルを取付ける框におけるハンドルの操作力伝達機構収容部より室外側にホロー部を設け、このホロー部の框の見付け面の面内方向の外側部分と、室内側部分との間に傾斜板部を設けたので、この傾斜板部がかすがいのような働きをなし、框の強度を向上させることができる。このため、框の強度が向上すると共に、框の見付け面の幅を従来より狭くした構造により、強度を犠牲にすることなく、断熱性の優れた樹脂製建具を提供するが可能となる。
【００１４】
請求項２の発明によれば、ハンドル収容部より室外側に設けたホロー部に鋼材でなる芯材を収容したので、従来のように操作力伝達機構を設けるスペースを形成するための切除部を芯材に設ける必要がなく、芯材の強度低下を防止できる。
【図面の簡単な説明】
【００１５】
【図１】本発明の樹脂製建具の一実施の形態である縦辷り出し窓を示す横断面図である。
【図２】図１の縦辷り出し窓の縦断面図である。
【図３】（Ａ）は本実施の形態の窓に用いるグレモン錠の構成を示す側面図、（Ｂ）はそのロックピンと受け具とを示す斜視図である。
【図４】本発明の樹脂製建具の他の実施の形態である横辷り出し窓を示す横断面図である。
【図５】図４の横辷り出し窓の縦断面図である。
【図６】本発明の樹脂製建具の一実施の形態である連窓を示す横断面図である。
【図７】従来の樹脂製建具の一例を示す横断面図である。
【発明を実施するための形態】
【００１６】
図１、図２はそれぞれ本発明の樹脂製建具の一実施の形態を示す横断面図、縦断面図である。これらの図において、１は建物の開口部に固定される窓枠、２はこの窓枠１に装着される障子であり、本実施の形態の建具は、縦辷り出し窓について示している。窓枠１は合成樹脂製押出形材でなる左右の縦枠３，４と上下の横枠５，６により構成され、各枠３〜６は同じ断面形状を有し、各端部を不図示の接合部において互いに溶着等により接合して一体化したものである。
【００１７】
障子２は、合成樹脂製押出形材でなる左右の縦框８，９と、上横框１０と、下横框１１により構成され、各框８〜１１は同じ断面形状を有し、各端部を不図示の接合部において溶着等より接合し、これらで組まれた枠内にガラスパネル１３を組み込んで構成したものである。本実施の形態は、図１、図２に示すように、ガラスパネル１３として３枚のガラスパネルを断熱性の高いガス層の密封構造で組み合わせたトリプルパネルにより構成した例を示す。
【００１８】
図１、図２において、１５は窓の室内側、１６は室外側である。１７は窓枠１における障子２の受け面に設けた気密材である。この気密材１７は、縦枠３，４、上横枠５および下横枠６の各室内側部分にそれぞれ設けた気密材取付け溝３ａ，４ａ，５ａ，６ａに嵌着して窓枠１の４周に連続させ、両端を突き合わせて取付ける。
【００１９】
１８は障子２における窓枠１に対する当接面に設けた気密材である。この気密材１８を取付けるため、縦框８，９、および横框１０，１１の室外側部分にそれぞれ見付け面の面内方向（図１、図２に矢印２７で示す。）の外側に突出させて突出部８ａ，９ａ，１０ａ，１１ａを設け、各突出部の室内側にそれぞれ気密材取付け溝８ｂ，９ｂ，１０ｂ，１１ｂを設けており、気密材１８は、これらの気密材取付け溝８ｂ，９ｂ，１０ｂ，１１ｂに嵌着して４周に連続させ、両端を突き合わせて取付ける。
【００２０】
１９は障子２のガラスパネル１３の４周における室内側の面と框８〜１１との間の気水密性を保持する気密材であり、この気密材１９は、縦框８，９、および横框１０，１１の室内側の部分にそれぞれ設けた気密材取付け溝８ｃ，９ｃ，１０ｃ，１１ｃに４周を連続させて設ける。２０は障子２の框８〜１１にガラスパネル１３を固定する押縁であり、この押縁２０は、縦框８，９、および横框１０，横枠１１の室外側の部分に設けた押縁取付け溝８ｄ，９ｄ，１０ｄ，１１ｄに嵌着し、押縁２０によりガラスパネル１３の室外側の面の４周を押し付けるようにして設ける。
【００２１】
縦框８，９、および横框１０，１１は、ガラスパネル１３の端部に対向する部分にそれぞれホロー部８ｅ，９ｅ，１０ｅ，１１ｅを形成する。これらのホロー部８ｅ，９ｅ，１０ｅ，１１ｅの見付け面の面内方向の外側の室内側には、それぞれ前記気密材１８を取付ける前記気密材取付け溝８ｂ，９ｂ，１０ｂ，１１ｂを設ける。
【００２２】
また、ガラスパネル１３に対向するホロー部８ｅ，９ｅ，１０ｅ，１１ｅの室外側にもさらにそれぞれホロー部８ｆ，９ｆ，１０ｆ，１１ｆを形成する。左右の縦框８，９のホロー部８ｅ，９ｅには、それぞれ鋼材でなる芯材２２，２３を、その３辺がホロー部８ｅ，９ｅの内壁に沿って当接するように嵌合して収容する。
【００２３】
縦框８，９、および横框１０，１１の室内側にもそれぞれホロー部８ｇ，９ｇ，１０ｇ，１１ｇを形成する。これらのホロー部８ｇ，９ｇ，１０ｇ，１１ｇの室外側見付け面に、それぞれ前記気密材１９を取付ける前記気密材取付け溝８ｃ，９ｃ，１０ｃ，１１ｃを形成する。
【００２４】
前記ガラスパネル１３に対向するホロー部８ｅ，９ｅ，１０ｅ，１１ｅと、室内側ホロー部８ｇ，９ｇ，１０ｇ，１１ｇとの間に、それぞれホロー部８ｅ，９ｅ，１０ｅ，１１ｅより見付け面の面内方向の幅が狭い狭幅部８ｈ，９ｈ，１０ｈ，１１ｈを形成する。
【００２５】
ガラスパネル１３に対向するホロー部８ｅ，９ｅ，１０ｅ，１１ｅの見付け面の面内方向の外側部分と、狭幅部８ｈ，９ｈ，１０ｈ，１１ｈとの間に、それぞれホロー部８ｅ，９ｅ，１０ｅ，１１ｅ側が見付け面の面内方向の外側となるように傾斜した傾斜板部８ｉ，９ｉ，１０ｉ，１１ｉを形成する。
【００２６】
図１において、２５はグレモン錠のハンドルであり、このハンドル２５は縦框８におけるガラスパネル１３の装着部より室内側の見込み面８ｊに取付ける。２６はハンドル２５の上下の操作により上下動させる施錠用ロックピンであり、２８は縦框８に設けたガイド部８ｋに沿って上下動可能に装着された可動枠であり、図３（Ａ）に示すように、可動枠２８の上下にそれぞれロックピン２６が取付けられる。２７はハンドル２５の操作により可動枠２８と共にロックピン２６を上下動させる操作力伝達機構である。図１に示すように、この操作力伝達機構２７は、室内側のホロー部８ｇに収容する。
【００２７】
図３（Ｂ）において、２９は縦枠３に取付ける受け具であり、ロックピン２６を係合、離脱させる係合溝２９ａを有する。グレモン錠は、ハンドル２５の下方（上方）への操作により可動枠２８を上動（下動）させ、可動枠２８の上下に取付けたロックピン２６を上げ（下げ）、これにより、縦枠３に取付けた受け具２９の係合溝２９ａに対してロックピン２６を係合、離脱させることにより、ロックとロック解除を行なうものである。
【００２８】
図２において、３０，３１はそれぞれこの障子２の上部と下部と、上下の横枠５，６との間にそれぞれ取付けられた窓枠１と障子２との連結機構であり、この窓を縦辷り出し窓として機能させるものである。この連結機構３０，３１の詳細な説明を省略するが、ハンドル２５を把持して縦框８側を室外側に押し出すことにより、縦框９側を図１の矢印３２側に示すように横枠５，６に沿って移動させると同時に、縦框８側を矢印３３に示すように室外側に回動させて窓を開き、反対にハンドル２５を把持して室内側に引くことにより、障子を矢印３２，３３の反対方向に動かして窓を閉じるものである。
【００２９】
上述のように、この実施の形態においては、グレモン錠のハンドル２５を縦框８の見込み面８ｊに取付けたので、見付け面にハンドル２５を取付ける場合に比較し、框の見付け面の幅Ｗ２を狭くすることが可能となり、断熱性の向上に寄与することができる。また、この実施の形態においては、縦框８、９および横框１０，１１を同じ断面形状に形成しているので、縦框８のみならず、縦框９および横框１０，１１の見付け面の幅も同様に狭くなり、全体として障子の框の室内外方向の伝熱面積が狭くなり、断熱性が優れた窓を提供することができる。
【００３０】
また、ハンドル２５を取付ける縦框８におけるハンドルの操作力伝達機構２７を収容するホロー部８ｇより室外側にホロー部８ｅを設け、ホロー部８ｅの縦框８の見付け面の面内方向の外側部分と、室内側の狭幅部８ｈとの間に傾斜板部８ｉを設けたので、この傾斜板部８ｉが縦框８のかすがいのような働きをなし、縦框８の強度を向上させることができる。他の框８〜１１についても同様である。このため、框８〜１１の強度が向上すると共に、框８〜１１の見付け面の幅Ｗ２を従来より狭くした構造により、強度を犠牲にすることなく、断熱性の優れた樹脂製建具を提供するが可能となる。
【００３１】
また、ハンドル２５の操作力伝達機構２７を収容するホロー部８ｇより室外側に設けたホロー部８ｅに鋼材でなる芯材２２を収容したので、従来のように操作機構を設けるスペースを形成するための切除部を芯材２２に設ける必要がなく、芯材２２の強度低下を防止でき、ひいては縦框８の強度を向上させることができる。
【００３２】
図４は本発明を横辷り出し窓に適用した本発明の他の実施の形態を示す横断面図、図５はその縦断面図である。図４、図５において、図１、図２と同じ符号は同じ構成部品および部分である。図４において、３４，３５は縦枠３，４と縦框８，９との間をそれぞれ連結する連結機構であり、この窓を横辷り出し窓として機能させるものであるが、詳細な説明を省略する。
【００３３】
図５において、ハンドル２５による障子２のロックを解除し、障子２の下側を室外側に押し出すと、障子２の上側が縦枠３，４に沿って矢印３６に示すように下降すると同時に、障子２の下側が矢印３７に示すように室外側に回動することにより、窓が開かれる。また、反対の操作により、障子２が矢印３６，３７の反対方向に動き、窓が閉じる。
【００３４】
この実施の形態においても、縦框８，９および横框１０，１１のガラスパネル１３に対向する部分に前述したホロー部８ｅ，９ｅ，１０ｅ，１１ｅの室内側の一辺に傾斜板部８ｉ，９ｉ，１０ｉ，１１ｉを設ける。また、図５に示すように、グレモン錠のハンドル２５は下横框１１の室内側見込み面１１ｊに取付ける。また、ハンドル２５の操作力伝達機構２７は、下横框１１の室内側ホロー部１１ｇに収容して取付ける。また、可動枠２８は、下横框１１の下面に設けたガイド部１１ｋに沿って左右に移動可能に取付け、可動枠２８に取付けたロックピン２６を係合、離脱させる係合溝２９ａを有する受け具２９は、下横枠６に取付ける。
【００３５】
この実施の形態においても、前述した理由と同じ理由により、傾斜板部８ｉ，９ｉ，１０ｉ，１１ｉを設けたことにより、框８〜１１の強度を犠牲にすることなく、框８〜１１の見付け面の面内方向の幅くして断熱性を向上させた窓を提供することが可能となる。
【００３６】
図６は本発明を連窓に適用した他の実施の形態を示す横断面図である。図６において、図１、図２と同じ符号は同じ機能を発揮する部品または部分である。４０は嵌め殺し窓であり、この嵌め殺し窓４０は縦辷り出し窓４１に並設されるもので、これらの窓４０，４１により連窓を構成する。４２は前記上下の横枠５，６間に固定される縦枠（方立）である。この縦枠４２と縦枠３および上下の横枠５，６間にガラスパネル４３を装着して嵌め殺し窓４０を構成する。縦枠３，４２にガラスパネル４３の室内側の面を当接させる気密材４４と、ガラスパネル４３の室外側の面に当接してガラスパネル４３を固定する押縁４５を設ける。
【００３７】
図６の実施の形態において、縦框８の見込み面８ｊにグレモン錠のハンドル２５を取付けることは図１の実施の形態と同じであり、框８〜１１の断面形状も図１、図２の実施の形態と同様であり、ハンドル２５の操作力伝達機構２７も同様に室内側ホロー部８ｇ内に取付けられる。可動枠２８に取付けるロックピン２６を係合、離脱させる受け具２９は、縦枠４２に取付ける。
【００３８】
図６の実施の形態においても、前述した理由と同じ理由により、框８〜１１の強度を犠牲にすることなく、断熱性を向上させた窓を提供することが可能となる。
【００３９】
以上本発明を実施の形態により説明したが、本発明は縦辷り出し窓や横辷り出し窓のみではなく、開き窓にも適用できる。また本発明を実施する場合、本発明の要旨を逸脱しない範囲において、構成部材やその組み合わせについて、種々の変更、付加が可能である。
【符号の説明】
【００４０】
１：窓枠、２：障子、３，４：縦枠、５，６：横枠、８，９：縦框、８ｅ，８ｇ，９ｅ，９ｇ：ホロー部、８ｉ，９ｉ：傾斜板部、８ｊ：見込み面、１０，１１：横框、１０ｅ，１０ｇ，１１ｅ，１１ｇ：ホロー部、１０ｉ，１１ｉ：傾斜板部、１３：ガラスパネル、１７〜１９：気密材、２０：押縁、２２，２３：芯材、２５：ハンドル、２６：ロックピン、２７：操作力伝達機構、２８：可動枠、２９：受け具、４０：嵌め殺し窓、４１：縦辷り出し窓、４２：縦枠、４３：ガラスパネル
【図１】
2015105504.tif 000003
【図２】
2015105504.tif 000004
【図３】
2015105504.tif 000005
【図４】
2015105504.tif 000006
【図５】
2015105504.tif 000007
【図６】
2015105504.tif 000008
【図７】
2015105504.tif 000009